(57)【要約】【課題】従来の表示装置は、表示体を強制的に動かそうとすると、駆動系に損傷を与える虞があると共に、構造が複雑で高コストであるという問題点があった。【解決手段】左右一対の保持部１Ａ，１Ａを有する保持体１と、両保持部１Ａ，１Ａの間に配置され且つ竪軸回りに回転自在に保持された表示体２と、表示体２の回転中心に挿通した竪の回転軸３と、表示体２の回転を１８０度で規制するストッパ４と、回転軸３を正逆回転させる回転駆動機構５を備え、回転軸３が、上端部を保持体１に寄せて傾斜していると共に、表示体２が、回転軸３を遊貫させる通し孔２Ｈを有し、回転軸３と通し孔２Ｈが、回転軸３の傾斜上側で部分的に接触している表示装置Ａとした。これにより、表示体２を人為的に動かしても、その駆動系に損傷を与える心配を解消し、構造の簡略化や低コスト化を実現した。【選択図】図１
2011191580.tif 000002
【特許請求の範囲】
【請求項１】
上下一対及び左右一対のいずれかの保持部を有する保持体と、保持体の両保持部の間に配置され且つ竪軸回りに回転自在に保持された表示体と、表示体の回転中心に挿通した竪の回転軸と、保持体及び表示体のいずれか一方に設けて表示体の回転を１８０度で規制するストッパと、回転軸を正逆回転させる回転駆動機構を備え、
回転軸が、上端部を保持体に寄せて傾斜していると共に、表示体が、回転軸を遊貫させる通し孔を有し、回転軸と通し孔が、回転軸の傾斜上側で部分的に接触していることを特徴とする表示装置。
【請求項２】
回転駆動機構が、駆動モータを備えると共に、回転軸が、同駆動モータの出力軸であることを特徴とする請求項１に記載の表示装置。
【請求項３】
回転駆動機構が、回転軸を所定時間正転させる制御と、回転軸を所定時間逆転させる制御とを交互に繰り返す制御器を備えていることを特徴とする請求項１又は２に記載の表示装置。
【請求項４】
回転軸が、少なくとも表示体の通し孔に遊貫する部分に、高摩擦材料を備えていることを特徴とする請求項１〜３のいずれか１項に記載の表示装置。
【請求項５】
回転駆動機構が、駆動モータと制御器と電源を備えると共に、保持体に取り付けてあることを特徴とする請求項３又は４に記載の表示装置。
【発明の詳細な説明】
【技術分野】
【０００１】
本発明は、商品やサービスの広告宣伝等に用いられる表示装置に関し、より詳しくは、電動により表示体を１８０度回転させて、表示面を切り換えるようにした構造を有する表示装置に関するものである。
【背景技術】
【０００２】
従来、上記したような表示装置としては、例えば特許文献１に記載されているものがあった。特許文献１に記載の表示装置は、駆動モータと、表示体である回転ドラムと、駆動モータから回転ドラムに動力を伝達する歯車伝達機構と、制御回路と、回転ドラムが１８０度回転したことを検出するリミットスイッチを備えている。そして、上記表示装置は、制御回路により、リミットスイッチからの信号に基づいて、回転ドラムを正逆方向に回転制御するものとなっている。
【先行技術文献】
【特許文献】
【０００３】
【特許文献１】特開平０７−２３９６６５号公報
【発明の概要】
【発明が解決しようとする課題】
【０００４】
ところで、この種の表示装置は、商店等において広告宣伝に用いることが多いので、人に触れられるようなケースも当然予想される。これに対して、上記した従来の表示装置では、駆動モータと回転ドラムの間に歯車伝達機構が改装してあることから、回転ドラムの動きが常に機械的に規制されている。このため、例えば、回転ドラム（表示体）を強制的に動かそうとすると、歯車伝達機構に損傷を与える虞があった。
【０００５】
また、上記従来の表示装置では、リミットスイッチを用いて回転ドラムの回転制御を行うようにしていたため、構造が複雑で高コストであるという問題点があり、これらの問題点を解決することが課題であった。
【０００６】
本発明は、上記従来の課題に着目して成されたものであって、表示体を１８０度回転させて表示面を切り換えるようにした表示装置において、表示体を人為的に動かしても、その駆動系に損傷を与える心配がなく、構造の簡略化や低コスト化を実現することができる表示装置を提供することを目的としている。
【課題を解決するための手段】
【０００７】
本発明の表示装置は、請求項１として、上下一対及び左右一対のいずれかの保持部を有する保持体と、保持体の両保持部の間に配置され且つ竪軸回りに回転自在に保持された表示体と、表示体の回転中心に挿通した竪の回転軸と、保持体及び表示体のいずれか一方に設けて表示体の回転を１８０度で規制するストッパと、回転軸を正逆回転させる回転駆動機構を備え、回転軸が、上端部を保持体に寄せて傾斜していると共に、表示体が、回転軸を遊貫（遊びをもって貫通）させる通し孔を有し、回転軸と通し孔が、回転軸の傾斜上側で部分的に接触している構成としており、上記構成をもって従来の課題を解決するための手段としている。
【０００８】
また、本発明の表示装置は、請求項２として、回転駆動機構が、駆動モータを備えると共に、回転軸が、同駆動モータの出力軸であることを特徴とし、請求項３として、回転駆動機構が、回転軸を所定時間正転させる制御と、回転軸を所定時間逆転させる制御とを交互に繰り返す制御器を備えていることを特徴とし、請求項４として、回転軸が、少なくとも表示体の通し孔に遊貫する部分に、高摩擦材料を備えていることを特徴とし、請求項５として、回転駆動機構が、駆動モータと制御器と電源を備えると共に、保持体に取り付けてあることを特徴としている。
【発明の効果】
【０００９】
本発明の請求項１に係わる表示装置によれば、表示体を１８０度回転させて表示面を切り換えるようにした表示装置において、表示体が１８０度の範囲で回転自在であって、回転軸と通し孔との間に生じる摩擦力により表示体を回転させることから、表示体を人為的に動かしても、その駆動系に損傷を与える心配が全くなく、構造の簡略化や低コスト化を実現することができる。
【００１０】
本発明の請求項２に係わる表示装置によれば、請求項１と同様の効果を得ることができるうえに、駆動モータの出力軸を回転軸とすることで、構造のさらなる簡略化を実現することができる。
【００１１】
本発明の請求項３に係わる表示装置によれば、請求項１及び２と同様の効果を得ることができるうえに、表示体の表示面を間歇的に自動切り換えすることができる。
【００１２】
本発明の請求項４に係わる表示装置によれば、回転軸と通し孔との間に生じる摩擦力が高められることとなり、表示体の回転動作をより確実にし得ると共に、良好な回転動作を長期にわたって行うことができる。
【００１３】
本発明の請求項５に係わる表示装置によれば、全体構造がコンパクトになり、設置場所等に左右されることなく、当該表示装置を単体で用いることができる。
【図面の簡単な説明】
【００１４】
【図１】本発明の表示装置の一実施形態を説明する側部断面図（Ａ）、及び表示体の通し孔の他の例を説明する拡大断面図（Ｂ）である。
【図２】表示装置を説明する平面図である。
【図３】表示装置を説明する正面図である。
【図４】表示装置を説明する背面図である。
【発明を実施するための形態】
【００１５】
以下、図面に基づいて、本発明の表示装置の一実施形態を説明する。
図１〜図４に示す表示装置Ａは、上下一対及び左右一対のいずれかの保持部１Ａ，１Ａを有する保持体１と、保持体１の両保持部１Ａ，１Ａの間に配置され且つ竪軸回りに回転自在に保持された表示体２と、表示体２の回転中心に挿通した竪の回転軸３と、表示体２の回転を１８０度で規制するストッパ４と、回転軸３を正逆回転させる回転駆動機構５を備えている。
【００１６】
保持体１は、水平な基板部１Ｂと、この基盤部１Ｂ上に立設した竪壁部１Ｃを備えると共に、竪壁部１Ｃに矩形状の開口１Ｄが形成してある。この実施形態の保持体１は、開口１Ｄの左右両側を一対の保持部１Ａ，１Ａとしている。この保持体１は、材料がとくに限定されるものではないが、一例としてプラスチックである。
【００１７】
表示体２は、左右に開放された扁平な角筒状を成し、表裏両側に表示面２Ａ，２Ｂを有すると共に、上下に天面部２Ｃ及び底面部２Ｄを有している。表示面２Ａ，２Ｂは、とくに図３に示すように、前記開口１Ｄの内側に収まる矩形状を成している。
【００１８】
また、表示体２は、後記する回転軸３とともに傾斜状態で保持されるので、とくに図１（Ａ）に示す如く両表示面２Ａ，２Ｂが上向きに傾斜している。これにより、表示する側の表示面２Ａ（又は２Ｂ）と保持体１の竪壁部１Ｃの正面とが同一面状になる。この表示体２は、材料がとくに限定されるものではないが、軽量なものであることが望ましく、一例として紙である。
【００１９】
この実施形態の回転軸３は、回転駆動機構５を構成する駆動モータ５Ａの出力軸であり、表示体２を上下に貫通する長さを有している。これに対して、保持体１の裏面（図１中で右側の面）において、開口１Ａの上側及び下側には、ブラケット６，７が夫々取り付けてある。下側のブラケット７には、出力軸すなわち回転軸３を上向きにして駆動モータ５Ａが固定してある。他方、表示体２は、天面部２Ｃ及び底面部２Ｄの夫々の中心に、回転軸３を遊貫させる通し孔が形成してある。すなわち、通し孔は、回転軸３が遊びをもって貫通し得る径を有している。
【００２０】
そして、駆動モータ５の回転軸３を表示体２の上下の通し孔に挿通させると共に、回転軸３の上端部を上側のブラケット６で回転自在に保持している。このとき、表示体２は、図１に示す如く駆動モータ５Ａと離間しているが、回転軸３の上下の挿通部分と、開口１Ａの下辺によって回転自在に保持されている。
【００２１】
この実施形態のストッパ４は、表示体２の左右方向の片側に設けてあり、保持体１の保持部１Ａ，１Ａの裏面に当接して表示体２の回動を規制する。このストッパ４は、保持体１及び表示体２のいずれか一方に設けることができるが、この実施形態のように表示体２に設けた構成にすれば、図３に示すように、開口１Ａと表示面２Ａ，２Ｂとの隙間を極力小さくすることができ、外観体裁も非常に良好となる。
【００２２】
回転駆動機構５は、上記駆動モータ５Ａと、例えば乾電池を交換可能に備えた電源５Ｂと、制御器５Ｃを備えており、図４に示すように、いずれも保持体１の竪壁部１Ｃの裏面に装着してある。制御器５Ｃは、回転軸３を所定時間正転させる制御と、回転軸３を所定時間逆転させる制御とを所定の時間間隔で交互に繰り返す機能を有すると共に、電源５Ｂをオン／オフするスイッチ５Ｄを備えている。
【００２３】
ここで、上記表示装置Ａは、図１（Ａ）に示すように、回転軸３が、上端部を保持体１に寄せて傾斜しており、これに伴って表示体２も傾斜状態で保持されている。また、図１（Ａ）中の拡大図に示すように、回転軸３には、通し孔２Ｈに遊貫する部分に、高摩擦材料であるゴム管８が装着してある。そして、回転軸１（ゴム管８）と通し孔２Ｈは、上記の傾斜により、回転軸３の傾斜上側で部分的に接触し、傾斜下側に隙間Ｓを形成する構造になっている。
【００２４】
上記構成を備えた表示装置Ａは、保持体１の竪壁部１Ｃの正面や、表示体２の表裏の表示面２Ａ，２Ｂに、様々な装飾や宣伝及びサービスの表示を施すことができ、いわゆるＰＯＰ用品として用いるのに好適である。
【００２５】
そして、表示装置Ａは、開口１Ａに一方の表示面２Ａが表れている図示の状態から、スイッチ５Ｄをオンにすると、制御器５Ｃにより、回転軸３が所定時間だけ正回転する。このとき、表示装置Ａは、回転軸３と通し孔２Ｈとの間に生じた摩擦力、より正確には、回転軸３と通し孔２Ｈとの傾斜上側の接触部分に生じた摩擦力により、表示体２が正回転する。そして、表示体２は、図２中に仮想線で示すように、反ストッパ側の端部を開口１Ａから延出させて回転し、１８０度回転してストッパ４が保持部１Ａの裏面に当接することで、それ以上の回転が規制され、開口１Ａに他方の表示面２Ｂを表すこととなる。
【００２６】
この際、当該表示装置Ａでは、表示体２が１８０度回転し得る時間だけ駆動モータ５Ａを駆動するのが理想であるが、表示体２を確実に１８０度回転させるのに充分な駆動モータ駆動時間を設定をするのがより望ましい。したがって、表示体２が１８０度回転した時点で駆動モータ５Ａが停止しない場合もあり得るが、回転軸３が通し孔２Ｈに遊貫しているので、表示体２が停止した後は回転軸３が空転するだけで、駆動系に負荷を与える心配は全く無い。
【００２７】
また、上記の表示装置Ａは、スイッチ５Ｄをオンにしている間は、所定時間が経過すると、制御器５Ｃにより回転軸３が所定時間だけ逆回転し、表示体２も逆回転して、開口１Ａに一方の表示面２Ａを再表示し、それ以降、表示体２の表示面２Ａ，２Ｂを間歇的に自動切り換えする。
【００２８】
上記の構成及び動作から明らかなように、表示装置Ａは、表示体２が１８０度の範囲で回転自在であって、回転軸３と通し孔２Ｈとの間に生じる摩擦力により表示体２を回転させることから、停止している表示体２を人為的に動かしても、若しくは回転している表示体２を人為的に停止させても、その駆動系に損傷を与える心配が全くない。
【００２９】
しかも、表示装置Ａは、駆動モータ５Ａと表示体２の間に、表示体２の動きを機械的に規制する歯車伝達機構のような構成が無いうえに、回転制御用のリミットスイッチ類も一切不要であるから、全体構造を簡略化することができ、製造コストの低減なども実現することができる。
【００３０】
また、表示装置Ａは、駆動モータ５Ａの出力軸を回転軸３としたので、構造のさらなる簡略化を実現すると共に、高摩擦材料であるゴム管８の採用により、回転軸３と通し孔２Ｈとの間に生じる摩擦力を高めて、表示体２の回転動作をより確実にすることができる。さらに、図示例の表示装置Ａは、全体構造がコンパクトであって、別の電源を必要としないので、設置場所等に左右されることなく単体で用いることができる。
【００３１】
さらに、本発明の表示装置Ａは、他の実施形態として、図１（Ｂ）に示すように、表示体２の底面部２Ｄに筒体２Ｅを設け、その内部を通し孔２Ｈとするのも有効である。この場合には、回転軸３と通し孔２Ｈとを傾斜上側で部分的に接触させつつ、接触面積を大きくして、摩擦力による動作をより一層確実にすることができる。
【００３２】
さらに、本発明の表示装置Ａは、他の実施形態として、図４中に点線で示すように、表示体２の底面部２Ｄに錘９を設けることも有効である。この錘９の位置は、ストッパ４の下側で、且つ底面部２Ｄの断面中央で良い。この場合には、回転軸３及び表示体２が傾斜しているので、錘９の重量が傾斜下方に作用することとなり、ストッパ４により回転規制された表示体２の姿勢をより確実に維持することができる。
【００３３】
なお、本発明に係る表示装置は、その構成が上記実施形態のみに限定されるものではなく、本発明の要旨を逸脱しない範囲で構成の細部を適宜変更することが可能である。
【００３４】
上記実施形態では、駆動モータ５Ａの出力軸を回転軸３としたが、専用の回転軸を駆動モータで回転駆動するようにしても、同様の作用及び効果を得ることができる。また、表示体２を上下に貫通する回転軸を例示したが、表示体を上下別々の回転軸で保持し、一方の回転軸を回転駆動する構成にしても良い。
【００３５】
さらに、保持体は、上記実施形態では左右一対の保持部を有するものとしたが、上下一対の保持部を有するものであっても良く、この場合には、上下の保持部及び表示体の上下のいずれか一方の上側又は下側にストッパを設けることができる。さらに、保持体や表示体の材料や形態も自由に変更することができ、これらには、様々な装飾を施すことが可能である。
【符号の説明】
【００３６】
１    保持体
１Ａ  保持部
２    表示体
２Ｈ  通し孔
３    回転軸
４    ストッパ
５    回転駆動機構
５Ａ  駆動モータ
５Ｂ  電源
５Ｃ  制御器
８    ゴム管（高摩擦材料）
【図１】
2011191580.tif 000003
【図２】
2011191580.tif 000004
【図３】
2011191580.tif 000005
【図４】
2011191580.tif 000006